(57)【要約】      （修正有）【課題】紙の量別に製作することができ、一定厚さ以上の紙を簡単に固定することができる紙クリップを提供する。【解決手段】紙クリップ１は、一定厚さの紙が固定される紙固定部と、紙固定部が分離可能に結合される固定具２００と、を備える。紙固定部は、一定厚さの紙を固定させるものであって、ベースプレート１１０と、ベースプレート１１０に回転可能に結合され、一定厚さの紙をベースプレート１１０に固定させるクリップ１２０と、ベースプレート１１０に分離可能に結合され、使用者のホールディング場所として提供される弾性台１３０と、を含む。紙固定部のベースプレート１１０は、長い長方形状の薄板で製作され、ベースプレート１１０の一端部両側には、係止突起１１１が設けられ、この係止突起１１１は固定具２００の係止ループ２１１に係止支持される。【選択図】図１
0003211017.tif 000002
【実用新案登録請求の範囲】
【請求項１】
ベースプレートと、
前記ベースプレートに設けられて紙を前記ベースプレートに固定させるクリップが備えられた紙固定部と、
前記ベースプレートに分離可能に設けられ、前記紙固定部を固定させる固定具と、を含むことを特徴とする、
紙クリップ。
【請求項２】
前記ベースプレートの一側両端部には係止突起が設けられ、前記固定具には前記係止突起が分離できるように前記係止突起が支持される係止ループが設けられることを特徴とする請求項１に記載の紙クリップ。
【請求項３】
前記係止突起が設けられる領域の前記ベースプレートには固定突起が設けられ、前記固定具には前記固定突起と対応される位置に前記固定突起が挿入固定される固定溝が設けられることを特徴とする請求項２に記載の紙クリップ。
【請求項４】
前記クリップは、前記ベースプレートに回転可能に結合されるベース板と、前記ベース板から上側方向に傾けて延長される傾斜板と、前記傾斜板から前記ベースプレートの方向に傾けて設けられ、端部が折曲された支持板と、を含むことを特徴とする請求項１に記載の紙クリップ。
【請求項５】
前記紙固定部は、前記ベースプレートに脱着できるように設けられ、前記ベースプレートの幅より広い幅を持つ弾性台をさらに含むことを特徴とする請求項１に記載の紙クリップ。
【請求項６】
前記固定具は、底部と、前記底部から延長して設けられる壁体と、前記壁体から延長して設けられる天井部と、を含み、前記天井部には広告表示部が設けられることを特徴とする請求項１に記載の紙クリップ。
【請求項７】
前記弾性台は、前記ベースプレートの底面部に脱着可能に設けられるベース弾性板と、前記ベース弾性板の一端部において、前記のベースプレートの上部方向に延長されて一端部が固定されず自由状態にある傾斜弾性板と、を含むことを特徴とする請求項５に記載の紙クリップ。
【請求項８】
前記固定具は、前記ベースプレートに設けられる係止突起が係止支持される係止ループが備えられた底部と、前記底部から延長して設けられる壁部と、前記壁部から延長して設けられる天井部と、を含み、前記天井部には広告表示部が設けられることを特徴とする請求項１に記載の紙クリップ。
【請求項９】
前記係止ループは、前記底部の幅方向の両側に一対で設けられ、前記係止ループは、前記底部の大部分に当たる長さに設けられることを特徴とする請求項８に記載の紙クリップ。
【考案の詳細な説明】
【技術分野】
【０００１】
本考案は、紙クリップに関するものであって、詳しくは紙の量別に製作することができ、一定厚さ以上の紙を簡単に固定することができる紙クリップに関するものである。
【背景技術】
【０００２】
一般的に数枚の紙、書類など固定物を保管する際に、仮に固定するため様々な形状を有するクリップが使われている。
【０００３】
従来技術のうち、弾性力を持つ針金を大小の２つの湾曲部を持つように所定の形状に折曲させてこの湾曲部の間に固定物を挿入して固定させる針金クリップが広く使用される。これは一定厚さ以上の固定物には使用が困難であり、且つ変形が容易に起きて元の状態に回復できない問題点がある。
【０００４】
これを解決しようとして、
0003211017.tif 000003
ハンドル部の形状が占める体積のため多数の固定物を積んで保管することが難しいという問題点がある。
【０００５】
一方、スライドクリップ（但し、「スライドクリップ」はもともと商品の名称であるが、普通名称と使用されている）の場合には、スライドクリップの圧紙力が強く、固定物に直接挿入することが困難で、別途の専用装置を用いて固定しなければならないので、使用が不便という短所がある。
【先行技術文献】
【特許文献】
【０００６】
【特許文献１】韓国登録実用新案公報第２０−０２９８５３３号（ＳＡＴＯ，ＨＩＳＡＯ）２００２．１２．０６
【考案の概要】
【考案が解決しようとする課題】
【０００７】
本考案は、紙の量別に製作することができ、一定厚さ以上の紙を簡単に固定することができる紙クリップを提供することを主たる目的とするものである。
【課題を解決するための手段】
【０００８】
本考案の一側面によると、ベースプレートと、前記ベースプレートに設けられ紙を前記ベースプレートに固定させるクリップが備えられた紙固定部と、前記ベースプレートが分離可能に設けられ前記紙固定部を固定させる固定具と、を含む紙クリップを提供することができる。
【０００９】
前記ベースプレートの一側両端部には係止突起が設けられ、前記固定具には前記係止突起が分離できるように前記係止突起が支持される係止ループを設けることができる。
【００１０】
前記係止突起が設けられる領域の前記ベースプレートには固定突起が設けられ、前記固定具には前記固定突起と対応される位置に前記固定突起が挿入固定される固定溝を設けることができる。
【００１１】
前記クリップは、前記ベースプレートに回転可能に結合されるベース板と、前記ベース板から上側方向に傾けて延長される傾斜板と、前記傾斜板から前記ベースプレート方向に傾けて設けられ、端部が折曲された支持板と、を含むことができる。
【００１２】
前記紙固定部は、前記ベースプレートに脱着できるように設けられ、前記ベースプレートの幅より広い幅を持つ弾性台をさらに含むことができる。
【００１３】
前記固定具は、底部と、前記底部から延長して設けられた壁体と、前記壁体から延長して設けられた天井部と、を含み、前記天井部には広告表示部を設けることができる。
【００１４】
前記弾性台は、前記ベースプレートの低面部に脱着可能に設けられるベース弾性板と、前記ベース弾性板の一端部において、前記ベースプレートの上部方向に延長され、一端部が固定されず自由状態にある傾斜弾性板と、を含むことができる。
【００１５】
前記固定具は、前記ベースプレートに設けられた係止突起が係止支持される係止ループが備えられた底部と、前記底部から延長して設けられる壁部と、前記壁部から延長して設けられる天井部と、を含み、前記天井部には広告表示部を設けることができる。
【００１６】
前記係止ループは、前記底部の幅方向の両側に一対が設けられ、前記係止ループは、前記底部の大部分に当たる長さに設けられことができる。  
【考案の効果】
【００１７】
本考案の実施例は、クリップをベースプレートに折曲して設けて、クリップとベースプレートとの間の空間に一定厚さの紙を便利に固定することができる。
【００１８】
また、一定厚さの紙が固定された紙固定部を固定具から分離可能に設けて、一定厚さの紙をさらに便利、且つ安定的に固定することができる。
【図面の簡単な説明】
【００１９】
【図１】本考案の第１実施例による紙クリップを示す分解斜視図である。
【図２】図１に示された紙固定部の係止突起が固定具の係止ループに係止支持されたことを示す側面図である。
【図３】本実施例に一定厚さの紙が固定されたことを概略的に示す側面図である。
【図４】本考案の第２実施例による紙クリップを示す分解斜視図である。
【図５】図４に示された紙固定部の側面図である。
【図６】本考案の第３実施例による紙クリップを示す分解斜視図である。
【考案を実施するための形態】
【００２０】
本考案と本考案の動作上の利点及び本考案の実施により達成される目的を十分理解するためには、本考案の望ましい実施例を例示する添付図及び添付図に記載された内容を参照するとよい。
【００２１】
以下、添付された図面を参照して本考案の望ましい実施例を説明することによって、本考案を詳しく説明する。各図面に提示された同一参照符号は同一部材を示す。
【００２２】
図１は、本考案の第１実施例による紙クリップを示す分解斜視図である。
【００２３】
この図面に示された通り、本実施例による紙クリップ１は、一定厚さの紙が固定される紙固定部１００と、紙固定部１００が分離可能に結合される固定具２００と、を備える。
【００２４】
紙固定部１００は、一定厚さの紙を固定させるものであって、図１に示された通りベースプレート１１０と、ベースプレート１１０に回転可能に結合され、一定厚さの紙をベースプレート１１０に固定させるクリップ１２０と、ベースプレート１１０に分離可能に結合され、使用者のホールディング（ｈｏｌｄｉｎｇ）場所として提供される弾性台１３０と、を含む。
【００２５】
紙固定部１００のベースプレート１１０は、図１に示された通り長い長方形状の薄板で製作することができる。  また、ベースプレート１１０の一端部両側には、図１に示された通り係止突起１１１が設けられ、この係止突起１１１は固定具２００の係止ループ２１１に係止支持される。
【００２６】
また、係止突起１１１が設けられたベースプレート１１０の領域には、図１に示された通り固定突起１１２が設けられ、この固定突起１１２は固定具２００に設けられた固定溝２２１に挿入支持される。
【００２７】
本実施例において、ベースプレート１１０はプラスチック材質で製作することができる。
【００２８】
紙固定部１００のクリップ１２０は、図１に示された通り、ベースプレート１１０の上面に回転可能に結合されるベース板１２１と、ベース板１２１から上側方向に傾けて延長される傾斜板１２２と、傾斜板１２２からベースプレート１１０方向に傾けて設けられ、端部が折曲された支持板１２３と、を含む。
【００２９】
本実施例において、ベース板１２１はベースプレート１１０から分離可能にねじ結合される。
【００３０】
本実施例は、クリップ１２０を折曲されるように設けて、クリップ１２０の形状自体で弾性力を持つことができ、支持板１２３の端部が折曲されて一定厚さの紙Ｐの下面を広い接触面積で加圧することができるので、固定力が向上される。
【００３１】
また、本実施例において、クリップ１２０はベースプレート１１０から脱着可能に設けられるので、クリップ１２０を交替することによって、本実施例を永久に使用することができるメリットがある。
【００３２】
紙固定部１００の弾性台１３０は、図１に示された通り、係止突起１１１が設けられたベースプレート１１０の反対端に脱着可能に設けられて、作業者のホールディング（ｈｏｌｄｉｎｇ）場所に提供される。
【００３３】
本実施例において、弾性台１３０には溝が設けられ、図１に示された通り、ベースプレート１１０の上面が弾性台１３０の上面と同じ高さに合わせることができる。従って、弾性台１３０によりベースプレート１１０に固定される紙の下面がしわくちゃになることを防止することができる。
【００３４】
そして、本実施例において、弾性台１３０はゴム材質で製作することができる。
【００３５】
固定具２００は、一定厚さの紙が固定された紙固定部１００を安定的に支持するとともに固定された紙固定部１００を便利に分離させる機能が備えられている。
【００３６】
本実施例において、固定具２００は図１に示された通り、一対の係止ループ２１１が離隔して設けられた底部２１０と、図１を基準に底部２１０の後方に設けられた壁部２２０と、壁部２２０の上部に設けられる天井部２３０と、を含む。
【００３７】
固定具２００の底部２１０に設けられた一対の係止ループ２１１には、ベースプレート１１０の係止突起１１１が挿入固定される。
【００３８】
固定具２００の壁部２２０には、図１に示された通り、固定溝２２１が設けられ、この固定溝２２１にはベースプレート１１０の固定突起１１２が挿入される。
【００３９】
固定具２００の天井部２３０は、図１に示された通り、ベースプレート１１０の底部２１０より非常に長い長さで設けられ、この天井部２３０にはキャラクターの形や、ロック、マークなどが表示される広告表示部を設けることができる。
【００４０】
本実施例において、広告表示部が固定具２００の外側天井部２３０に設けられているので、視認性が向上する利点がある。
【００４１】
本実施例において、紙固定部１００を固定具２００とは違って平面に維持することによって、審美的な効果を与えることができ、ベースプレート１１０にのみクリップ１２０が設けられるので、本実施例の厚さを顕著に減らせる利点がある。
【００４２】
図２は、図１に示された紙固定部の係止突起が固定具の係止ループに係止支持されたことを示した側面図であり、図３は、本実施例に一定厚さの紙が固定されたことを概略的に示した側面図である。
【００４３】
以下において、図１と図３を参考して本実施例の使用状態を簡略に説明する。
【００４４】
一定厚さの紙Ｐを本実施例に入れる前には固定具２００の固定溝２２１からベースプレート１１０の固定突起１１２が抜けている状態で、図２に示された通り、固定具２００の係止ループ２１１にベースプレート１１０の係止突起１１１が支持されて
0003211017.tif 000004
【００４５】
次に、紙Ｐを固定具２００の天井部２３０下段に差し込んでベースプレート１１０を図２に示された矢印の方向に持ち上げると、クリップ１２０と固定具２００の天井部２３０との間に紙Ｐが支持される。
【００４６】
この状態でベースプレート１１０の固定突起１１２を固定具２００の固定溝２２１に差し込むと、紙Ｐがクリップ１２０によって固定される。
【００４７】
図４は、本考案の第２実施例による紙クリップを示す分解斜視図であり、図５は、図４に示された紙固定部の側面図である。
【００４８】
本実施例による紙クリップ１ａは、図４および図５に示された通り、弾性台１３０ａを折曲して設けた点で前述の第１実施例と差異がある。
【００４９】
弾性台１３０ａは、図４および図５に示された通り、ベースプレート１１０の底面部に脱着可能に設けられるベース弾性板１３１と、ベース弾性板１３１の一端部からベースプレート１１０の上部方向に延長され、一端部が固定されず自由状態にある傾斜弾性板１３２と、を含む。
【００５０】
弾性台１３０ａの傾斜弾性板１３２は作業者が手で押す部位であって、自体的に弾性力のあるゴム材質で製作されるため、クリップ１２０とともに、一定厚さの紙を加圧することができて、紙の固定力を向上させることができる。
【００５１】
本実施例において、傾斜弾性板１３２はゴム以外に軟性プラスチックなど柔軟な材質で製作することができる。
【００５２】
図６は、本考案の第３実施例による紙クリップを示す分解斜視図である。
【００５３】
本実施例による紙クリップ１ｂは、紙固定具１００ｂのクリップ形状を変更し、固定具２００ｂの形状を変更した点で前述の実施例と差異がある。
【００５４】
紙固定具１００ｂのクリップ１２０ｂは、前述のベース板１２１を前述した方向と反対方向に設けたことから差異がある。この場合、ベースプレート１１０の長さ方向にクリップ１２０ｂが占める空間を減らすことができる。
【００５５】
固定具２００ｂは、図６に示された通り、ベースプレート１１０に設けられた係止突起１１１が係止支持される係止ループ２１１ｂが備えられた底部２１０ｂと、底部２１０ｂから延長して設けられる壁部２２０ｂと、壁部２２０ｂから延長して設けられる天井部２３０と、を含み、天井部２３０には前述した広告表示部を設けることができる。
【００５６】
本実施例において、係止ループ２１１ｂが底部２１０ｂの幅方向の両側に一対設けられ、底部２１０ｂの大部分に当たる長さに設けられてクリップ１２０ｂが設けられたベースプレート１１０の移動距離が増えるので、固定される一定厚さの紙の選択幅を広げることができる。
【００５７】
以上調べたように、本実施例はクリップをベースプレートに折曲して設け、クリップとベースプレートとの間の空間に一定厚さの紙を簡単に固定することができる。
【００５８】
また、一定厚さの紙が固定された紙固定部を固定具から分離可能に設けることで、一定厚さの紙をさらに便利かつ安定的に固定することができる。
【００５９】
このように、本考案は記載された実施例に限られることなく、本考案の思想および範囲を離れず、多様に修正および変形することができることは、この技術分野における通常の知識を有する者において自明である。従って、そのような修正例または変形例は本考案の請求の範囲に属すると言えるべきである。
【符号の説明】
【００６０】
１、１ａ、１ｂ  紙クリップ
１００  紙固定部
１００ｂ  紙固定具
１１０  ベースプレート
１１１  係止突起
１１２  固定突起
１２０  クリップ
１２１  ベース板
１２２  傾斜板  
１２３  支持板
１３０、１３０ａ  弾性台
１３１  ベース弾性板
１３２  傾斜弾性板
２００、２００ｂ  固定具
２１０、２１０ｂ  底部
２１１  係止ループ
２１１ｂ  係止ループ
２２０、２２０ｂ  壁部
２２１  固定溝
２３０  天井部
【図１】
0003211017.tif 000005
【図２】
0003211017.tif 000006
【図３】
0003211017.tif 000007
【図４】
0003211017.tif 000008
【図５】
0003211017.tif 000009
【図６】
0003211017.tif 000010